(57)【要約】      （修正有）【課題】溶接システムのためのワイヤ管理を提供する。【解決手段】溶接システム（１００）は、未使用ワイヤ供給装置が好都合に収納されるようにワイヤ供給装置（１１０，１２０）を管理することができる。溶接システム（１００）は、溶接トーチ（１０６）に個々に取付可能な２つ以上のワイヤ供給装置（１１０，１２０）を含む。溶接システム（１００）は、未使用ワイヤ供給装置を固定し、且つ有効ワイヤ供給装置の好都合な交換を可能にするように、１つ又は複数の取付点を含む。【選択図】図２
2020097053.tif 000002
【特許請求の範囲】
【請求項１】
ガイドトラック又は移動式シャーシのうちの少なくとも一方に結合された溶接機ユニットと、
前記溶接機ユニットに作動的に結合された溶接ヘッドユニットであって、溶接トーチを支持する溶接ヘッドユニットと、
前記溶接機ユニットに取り付けられた少なくとも２つのワイヤ供給装置であって、各ワイヤ供給装置が、それぞれのコネクタで終端するそれぞれのワイヤライナを含む、少なくとも２つのワイヤ供給装置と、
前記それぞれのコネクタを介して少なくとも１つのワイヤライナに取り付けるように適合された少なくとも１つの取付具であって、前記少なくとも２つのワイヤ供給装置のうちの有効ワイヤ供給装置が、前記それぞれのコネクタを介して前記溶接トーチに取り付けられ、前記少なくとも２つのワイヤ供給装置のうちの残りのワイヤ供給装置が、前記少なくとも１つの取付具に取り付けられる、少なくとも１つの取付具と、
を備える溶接システム。
【請求項２】
前記少なくとも１つの取付具が、前記溶接トーチと同様の接続点を提供する、請求項１に記載の溶接システム。
【請求項３】
前記コネクタがクイックディスコネクトである、請求項１に記載の溶接システム。
【請求項４】
未使用ワイヤ供給装置に関連付けられたワイヤが、前記溶接トーチに接続されていない間、帯電していない、請求項１に記載の溶接システム。
【請求項５】
前記少なくとも１つの取付具が、前記溶接機ユニットに取り付けられている、請求項１に記載の溶接システム。
【請求項６】
前記溶接システムにおける取付具の数が、前記溶接システムにおけるワイヤ供給装置の数より１つ少ない、請求項１に記載の溶接システム。
【請求項７】
前記溶接システムにおける取付具の数が、前記溶接システムにおけるワイヤ供給装置の数と同じである、請求項１に記載の溶接システム。
【請求項８】
前記溶接機ユニットが円周溶接機である、請求項１に記載の溶接システム。
【請求項９】
各ワイヤ供給装置が、ワイヤを格納するためのそれぞれのワイヤスプールを含み、前記少なくとも２つのワイヤ供給装置のうちの前記有効ワイヤ供給装置が、前記それぞれのワイヤスプールから前記それぞれのワイヤライナを通して前記溶接トーチにワイヤを供給する、請求項１に記載の溶接システム。
【請求項１０】
第２溶接トーチと、前記溶接機に取り付けられた少なくとも３つの供給装置とを含み、各ワイヤ供給装置が、それぞれのコネクタで終端するそれぞれのワイヤライナを含む、請求項１に記載の溶接システム。
【請求項１１】
前記コネクタがメスコネクタであり、前記取付具及び前記溶接トーチが、前記コネクタのためのオス接続点を提供する、請求項１に記載の溶接システム。
【請求項１２】
前請コネクタがオスコネクタであり、前記取付具及び前記溶接トーチが、前記コネクタのためのメス接続点を提供する、請求項１に記載の溶接システム。
【請求項１３】
溶接システムの少なくとも１つのワイヤ供給装置を収納する方法であって、前記溶接システムが、ガイドトラック又は移動式シャーシのうちの少なくとも一方に結合された溶接機ユニットと、溶接機ユニットに作動的に結合された溶接ヘッドユニットと、前記溶接機ユニットに取り付けられた少なくとも２つのワイヤ供給装置であって、各ワイヤ供給装置が、それぞれのコネクタで終端するそれぞれのワイヤライナを含む、少なくとも２つのワイヤ供給装置とを含む、方法において、
前記少なくとも２つのワイヤ供給装置のうちの有効ワイヤ供給装置を、前記それぞれのコネクタを介して前記溶接トーチに取り付けるステップと、
前記少なくとも２つのワイヤ供給装置のうちの残りのワイヤ供給装置を前記少なくとも１つの取付具に取り付けるステップであって、前記少なくとも１つの取付具が、前記それぞれのコネクタを介して少なくとも１つのワイヤライナに取り付けるように適合される、ステップと、
を含む方法。
【請求項１４】
前記少なくとも１つの取付具が、前記溶接トーチと同様の接続点を提供する、請求項１３に記載の方法。
【請求項１５】
前記コネクタがクイックディスコネクトである、請求項１３に記載の方法。
【請求項１６】
未使用ワイヤ供給装置に関連付けられたワイヤが、前記溶接トーチに接続されていない間、帯電していない、請求項１３に記載の方法。
【請求項１７】
前記少なくとも１つの取付具が、前記溶接機ユニットに取り付けられる、請求項１３に記載の方法。
【請求項１８】
前記溶接システムにおける取付具の数が、前記溶接システムにおけるワイヤ供給装置の数より１つ少ない、請求項１３に記載の方法。
【請求項１９】
前記溶接システムにおける取付具の数が、前記溶接システムにおけるワイヤ供給装置の数と同じである、請求項１３に記載の方法。
【請求項２０】
前記溶接機ユニットが円周溶接機である、請求項１３に記載の方法。
【発明の詳細な説明】
【技術分野】
【０００１】
関連出願の相互参照
本出願は、（ａ）全体が再現されているかのように参照により本明細書に援用される、２０１８年１１月２日に出願された、「ＷＩＲＥ  ＭＡＮＡＧＥＭＥＮＴ  ＦＯＲ  Ａ  ＷＥＬＤＩＮＧ  ＳＹＳＴＥＭ」と題する米国仮特許出願第６２／７５４，６２１号明細書、及び（ｂ）全体が再現されているかのように参照により本明細書に援用される、２０１９年９月２６日に出願された、「ＷＩＲＥ  ＭＡＮＡＧＥＭＥＮＴ  ＦＯＲ  Ａ  ＷＥＬＤＩＮＧ  ＳＹＳＴＥＭ」と題する米国特許出願第１６／５８３，３９３号明細書に対する優先権を主張する。
【０００２】
概して、本発明は、アーク溶接、特に、未使用ワイヤ供給装置を管理する技法に関する。
【背景技術】
【０００３】
工業的応用において、溶接は、レイジング（ｒａｉｓｉｎｇ）、クラッディング、ビルドアップ、充填、硬化肉盛、肉盛、接合及び他の溶接応用を含むことができる。湾曲面を有する工作物に対応するとき、円周溶接プロセスを使用して、湾曲面に溶接を施すように溶接ヘッドを回転させることができる。円周溶接が使用される一般的な例は、パイプ溶接である。パイプ溶接は、薄肉応用を含むことができ、そこでは、溶接ヘッドは、端部が互いに接合されている２つの部品の外面の周囲を回転する。別法として、パイプ溶接は、深開先形状を含むことができ、そこでは、接合されている２つの部品の間の開先内に電極が延在して、開先を充填しパイプを接合するように、溶接材料の連続したビードを敷き詰める。円周溶接システムは、ガイドトラックに取り付けられる溶接ヘッド、又は工作物を締め付けるか又は他の方法で工作物上に支持される固定具を含むことができる。溶接ヘッドは、ガイドトラックを辿って溶接部を形成する。
【発明の概要】
【課題を解決するための手段】
【０００４】
以下の概要は、本明細書で考察する（装置、システム及び／又は方法）のいくつかの態様が基本的に理解されるために簡略化した概要を提示する。この概要は、本明細書で考察する（装置、システム及び／又は方法）の広範な概要ではない。それは、不可欠な要素を特定するようにも、こうした（装置、システム及び／又は方法）の範囲を定めるようにも意図されていない。その唯一の目的は、後に提示するより詳細な説明に対する前置きとして、簡易化した形態でいくつかの概念を提示することである。
【０００５】
さまざまな実施形態において、溶接システムは、溶接動作で利用される少なくとも２つのワイヤ供給装置を含む。各ワイヤ供給装置は、供給される溶接ワイヤのための導管を提供する関連するワイヤライナを含み、ワイヤライナは、溶接システムの他の構成要素への取付を容易にするようにコネクタで終端する。一態様では、ワイヤ供給装置は、たとえば、ＭＩＧ溶接用の溶接トーチに結合することができる。ワイヤ供給装置は、溶接トーチに一度に１つ取り付けることができる。したがって、溶接システムは、未使用ワイヤ供給装置に関連付けられたワイヤライナに対して収納位置を提供するように構成される。収納位置は、未使用ワイヤ供給装置が、ワイヤの好都合な交換のためのアクセスを維持しながら、溶接システムの動作を妨げないことを確実にするように、未使用ワイヤ供給装置を固定する。
【０００６】
一態様によれば、ガイドトラック又は移動式シャーシのうちの少なくとも一方に結合された溶接機ユニットを含む溶接システムが提供される。本システムは、溶接機ユニットに作動的に結合された溶接ヘッドユニットをさらに含む。溶接ヘッドユニットは、溶接トーチを支持する。溶接システムはまた、溶接機ユニットに取り付けられた少なくとも２つのワイヤ供給装置も含む。各ワイヤ供給装置は、それぞれのコネクタで終端するそれぞれのワイヤライナを含む。さらに、溶接システムは、それぞれのコネクタを介して少なくとも１つのワイヤ供給装置に取り付けるように適合された少なくとも１つの取付具を含む。少なくとも２つのワイヤ供給装置のうちの有効ワイヤ供給装置が、それぞれのコネクタを介して溶接トーチに取り付けられ、少なくとも２つのワイヤ供給装置のうちの残りのワイヤ供給装置が、少なくとも１つの取付具に取り付けられる。
【０００７】
本発明のこれらの態様及び他の態様は、図面、詳細な説明及び添付の特許請求の範囲を考慮して考察するときに明らかとなろう。
【０００８】
本発明は、特定の部分及び部分の配置で物理的形態をとることができ、この好ましい実施形態について、明細書において詳細に記載し、その一部を形成する添付図面に例示する。
【図面の簡単な説明】
【０００９】
【図１】１つ又は複数の態様による未使用ワイヤ供給装置構成要素を収納するための取付具を含む溶接システムの例示的な非限定的実施形態を示す。
【図２】図１の溶接システムの例示的な非限定的実施形態の上面図を示す。
【図３】溶接機ユニットの例示的な非限定的実施形態の正面斜視図を示す。
【図４】図３の溶接機ユニットの例示的な非限定的実施形態の背面斜視図を示す。
【図５】図３の溶接機ユニットの例示的な非限定的実施形態の側面図を示す。
【図６】図３の溶接機ユニットの例示的な非限定的実施形態の上面図を示す。
【図７】図３の溶接ユニットの構成要素の例示的な非限定的実施形態の斜視図を示す。
【図８】複数のコネクタを含む図３の溶接ユニットの構成要素の例示的な非限定的実施形態の斜視図を示す。
【図９】本発明の実施形態で使用することができる例示的なコネクタを示す。
【図１０】本発明の実施形態で使用することができる例示的なコネクタを示す。
【図１１】本発明の実施形態で使用することができる例示的なコネクタを示す。
【発明を実施するための形態】
【００１０】
本発明の実施形態は、溶接システムのワイヤ供給装置を管理するシステム及び方法に関する。特に、未使用ワイヤ供給装置は、迅速なアクセス及び交換を維持しながら、収納することができる。溶接システムは、溶接トーチに個々に且つ単独で取り付けられた２つ以上のワイヤ供給装置を含むことができる。溶接システムは、未使用ワイヤ供給装置に取り付けるための１つ又は複数の取付点を含む。取付点は、未使用ワイヤ供給装置を固定し、有効ワイヤ供給装置（たとえば、トーチに取り付けられているワイヤ供給装置）の好都合な交換を可能にする。
【００１１】
本明細書で利用する「溶接システム」は、溶接動作を実施するように適合された器具を有する装置又は装置の集まりを指す。溶接動作としては、限定されないが、溶接、ろう付け、はんだ付け、コーティング、硬化肉盛及び／又は切断を挙げることができる。器具としては、レーザ、ウォータージェット、火炎又はアーク発生トーチ、及び／又は溶接動作を実施するために使用される他の任意のシステムを挙げることができる。「溶接（ｗｅｌｄｉｎｇ）」又は「溶接（ｗｅｌｄ）」（これらの用語の他の形成要素を含む）、特にアーク溶接は、電気アークの動作による溶融材料の堆積を指す。好適な溶接プロセスとしては、限定されないが、サブマージアーク、ＭＩＧ、ＭＡＧ、ＴＩＧ、手棒溶接、ＦＣＡＷ等が挙げられる。
【００１２】
ここで、図面を参照してさまざまな実施形態について説明する。図面を通して、同様の参照数字を使用して同様の要素を指す。以下の説明では、例示の目的で、実施形態が完全に理解されるために多くの具体的な詳細を示す。しかしながら、本明細書に記載する特徴は、これらの具体的な詳細なしに実施することができることが明らかであり得る。さらに、他の実施形態が可能であり、本明細書に記載する特徴は、記載するもの以外の方法で実施し実行することができる。本明細書で使用する用語及び表現は、本発明の理解を促進する目的で採用しており、限定するものとして解釈されるべきではない。
【００１３】
図面を参照して、例示的な円周溶接システムについて説明する。本明細書に記載する態様とともに、他の移動式溶接システム構成を含む他の溶接システムを利用することができ、図に示す例は限定的ではない。たとえば、工作物に沿って且つ／又は工作物に隣接して移動する車輪システムを備えたシャーシを有する移動式溶接システムを利用することができる。シャーシに、溶接ユニット又はトラクタを取り付けることができる。
【００１４】
図１及び図２は、溶接動作中に未使用ワイヤ供給装置構成要素を固定するように構成された溶接システム１００を示す。溶接システム１００は、消耗品のワイヤ電極と、図に示すようなパイプの別の部分に接続すべきパイプの部分等、工作物Ｗとの間にアークを発生させるように適合された、ＭＩＧシステム又はＭＡＧシステムのいずれかを含む、ガスメタルアーク溶接（ＧＭＡＷ）システムであり得る。
【００１５】
溶接システム１００はまた、工作物Ｗに関連付けられたガイドトラック１３０に取り付けられた溶接機又はトラクタユニット１０２を有する、円周溶接システムでもあり得る。溶接機ユニット１０２は、溶接トーチ１０６等の器具を支持する溶接ヘッドユニット１０４を含むことができる。図に示すように、溶接システム１００は、それぞれの第１スプール１１２及び第２スプール１２２からトーチ１０６に溶接ワイヤを供給するように適合された、第１ワイヤ供給装置１１０及び第２ワイヤ供給装置１２０を含む。各ワイヤ供給装置１１０、１２０は、それぞれのワイヤライナ１１４及び１２４を通して溶接ワイヤを供給するように適合させることができる。ワイヤライナ１１４及び１２４は、さまざまなレセプタクルへの取付を容易にするようにさまざまなコネクタで終端することができる。ワイヤライナ１１４及び１２４は、さまざまなレセプタクルに取り付けることができるそれぞれのコネクタ１１６及び１２６を有することができる。たとえば、ワイヤライナ１２４に関連付けられたコネクタ１２６は、トーチ１０６に関連付けられたクイックディスコネクトであり得るレセプタクル１０８で終端することができる。
【００１６】
図に示すように、溶接システム１００は、ワイヤスプール１１２及び１２２に関連付けられた２つのワイヤ供給装置１１０及び１２０を含む。例として、ワイヤ供給装置１１０及び１２０は、それぞれのスプール１１２及び１２２から溶接トーチ１０６にワイヤを自動的に供給する電動モータを含むことができる。溶接ライナ１１４及び１２４は、ワイヤ供給装置１１０及び１２０からトーチ１０６のレセプタクル１０８にワイヤを誘導することができる。溶接ライナ１１４及び１２４はまた、ワイヤを汚損及び残骸から隔離する保護シールドとしても作用することができる。例示的な溶接動作では、任意の所与の時点でワイヤ電極に対する供給部として、１つのワイヤ供給装置のみを利用することができる。他の例示的な溶接動作では、システム１００は、２つ以上のトーチ１０６があるように構成することができ、それにより、２つ以上のワイヤ供給装置を利用することができる。
【００１７】
図１及び図２において、ワイヤスプール１２２に関連付けられたワイヤ供給装置１２０は、コネクタ１２６をレセプタクル１０８に取り付けることによってトーチ１０６に取り付けられている。この構成では、ワイヤ供給装置１１０及びワイヤスプール１１２に関連付けられたワイヤライナ１１４は未使用であり得る。ワイヤライナ１１４は、繋がれておらず、溶接ユニット１０２の周囲で自由に移動することができる可能性があり、あり得る危険を発生させる可能性がある。あり得る危険に加えて、繋がれていない溶接ライナ１１４は、汚損及び残骸が溶接ライナの開放端部に入るのを可能にし、ワイヤに望ましくない損傷又は腐食をもたらす可能性がある。溶接システム１００は、溶接動作中、未使用ワイヤライナ（たとえば、ワイヤライナ１１４）が繋がれていないままでないように、ワイヤ供給装置に対して収納位置を提供する。図１及び図２に示すように、未使用ワイヤライナ１１４のコネクタ１１６は、ワイヤライナ１１４の移動を防止するために取付具１１８に取り付けられている。ワイヤ供給装置１１０及びスプール１１２上のワイヤは、溶接トーチ１０６から分離されているとき、帯電しておらず、且つ高温ではない。
【００１８】
図１及び図２において、１つ又は複数の取付具又はレセプタクル１１８、１２８は、溶接機ユニット１０２、溶接ヘッド１０４、又は溶接システム１００の別の部分に設けることができる。たとえば、図１及び図２に、ワイヤ供給装置が取り付けられていない取付具１２８を示す。図には、コネクタ１１６が取り付けられた同様の取付具１１８を示す。ある態様によれば、取付具１１８及び１２８は、トーチ１０６に設けられたレセプタクル１０８と同様の形態を有することができる。したがって、同じワイヤライナコネクタ（たとえば、コネクタ１１６、１２６）を使用して、取付具１１８、取付具１２８及びレセプタクル１０８の間で、ワイヤ供給装置１１０及び１２０を迅速に入れ替えることができる。
【００１９】
図３〜図６に、溶接機ユニット１０２を個々に示す。図に示すように、未使用ワイヤ供給装置のための収納場所を提供するために、溶接機ユニット１０２に取付具１１８及び１２８を取り付けることができる。例示的な実施形態では、取付具１１８及び１２８は、それぞれ表面１３２及び１３４に取り付けることができる。取付具１１８及び１２８を受け入れるために、表面１３２及び１３４に孔をあけることができる。取付具１１８又は１２８のねじ切り部分にナットを取り付けることにより、表面１３２及び１３４に取付具１１８及び１２８を固定することができる。同様に、溶接機ユニット１０２に取付具又はレセプタクルを取り付ける他の任意の方法（たとえば、接着剤、溶接、圧入等）を利用することができる。
【００２０】
図１〜図６は、未使用溶接供給装置のための２つの取付具を有する溶接システム１００を示す。この例では、取付具の数は、システムのために構成されたワイヤ供給装置の数に等しい。別の例では、取付具の数は、ワイヤ供給装置の数より少ない場合がある。たとえば、取付具の数は、ワイヤ供給装置の数より１つ少ない場合がある。この例では、トーチ１０６に常に少なくとも１つのワイヤ供給装置が接続されている。他の未使用ワイヤ供給装置のワイヤは、分離されている間、帯電しない。
【００２１】
さらに例示するために、１つの例示的な溶接動作では、ワイヤ供給装置１１０にソリッドコアワイヤを装填することができ、ワイヤ供給装置１２０にフラックスコアワイヤを装填することができる。溶接システム１００は、ワイヤ供給装置１１０を利用してＳＴＴルートパスを実施し、その後、ワイヤ供給装置１２０を利用して接合部の残りを充填するように切り替わる。
【００２２】
図７は、取付具１２８が取り付けられている溶接ユニット１０２の表面１３４の拡大図を示す。図８に示す別の実施形態では、表面８３４に２つの取付具８２８、８４８が取り付けられている。溶接ユニット１０２は、合計４つの取付具に対して溶接ユニットの各側に、図８に示すように、２つの取付具８２８、８４８を利用することができる。所定の溶接機器の必要により適合するために、任意の数のワイヤ供給装置取付具を利用することができることが理解されるべきである。さらに、溶接ユニット１０２の任意の好適な表面にワイヤ供給装置取付具を取り付けることができる。
【００２３】
図９〜図１１は、本発明の実施形態において使用することができる例示的なコネクタ及びレセプタクルを示す。例示的な実施形態では、ワイヤライナにオスコネクタを取り付けることができ、溶接ユニットの表面にメス取付レセプタクルを取り付けることができる。ワイヤライナのオスコネクタとの接続を容易にするために、溶接トーチに同様のメスレセプタクルを関連付けることができる。
【００２４】
別の例示的な実施形態では、ワイヤライナにメスコネクタを取り付け、溶接ユニットの表面にオス取付レセプタクルを取り付けることができる。ワイヤライナのメスコネクタとの接続を容易にするために、溶接トーチに同様のオスレセプタクルを関連付けることができる。当業者であれば、未使用ワイヤライナのための収納場所をもたらすために、システム１００において任意のタイプのコネクタ又はレセプタクルを利用することができることを理解するはずである。未使用ワイヤライナの収納場所をもたらすために使用される接続装置は、溶接トーチに設けられた接続装置と同一又は同様であり得る。同様の接続装置を利用することにより、使用者が、システムのさまざまな態様の接続装置（たとえば、ワイヤライナ、トーチレセプタクル等）を変更する必要なしに、溶接動作中にワイヤ供給装置を迅速に交換することを可能にすることできる。
【００２５】
別の例示的な実施形態では、システム１００で使用されるコネクタは、クイックディスコネクト装置であり得る。クイックディスコネクトにより、溶接装置の高速且つ容易な結合及び分離が可能になる。たとえば、トーチ１０６からワイヤ供給装置１１０を容易に取り除くことができ、トーチ１０６にワイヤ供給装置１２０を容易に取り付けることができる。クイックディスコネクトは、オスコネクタ及びメスコネクタをそれぞれ利用することができる。使用者は、メスクイックディスコネクトコネクタのカラーを引き戻すことにより、それぞれのコネクタを結合し又は分離することができる。メスコネクタのカラーが引き戻される間、使用者は、オスコネクタをメスコネクタに挿入し又はメスコネクタから取り除くことができる。（オス又はメスのどちらかの）クイックディスコネクトコネクタは、上述した方法と同様の方法でワイヤライナに取り付けることができる。ワイヤ供給装置への接続を容易にするために、トーチ１０６に対応するクイックディスコネクトコネクタを設置することができる。さらに、未使用ワイヤ供給装置のための取付具として機能するように、溶接システム１００の他の任意の場所にコネクタを配置することができる。
【００２６】
上記例は、本発明のさまざまな態様のいくつかのあり得る実施形態を単に例示するものであり、当業者であれば、本明細書及び添付図面を読み理解することで、均等な代替形態及び／又は変更形態が想到されよう。特に上述した構成要素（アセンブリ、装置、システム、回路等）によって実施されるさまざまな機能に関して、こうした構成要素を説明するために使用した用語（「手段」に対する言及を含む）は、別段の指示がない限り、記載した構成要素の指定された機能を実施する（たとえば、機能的に均等である）、ハードウェア、ソフトウェア又はそれらの組合せ等（本発明の例示した実施態様でその機能を実施する開示した構造と構造的に均等でなくても）、任意の構成要素に対応するように意図されている。さらに、いくつかの実施態様のうちの１つのみに関して本発明の特定の特徴について開示した可能性があるが、こうした特徴は、任意の所与の又は特定の用途に対して要求され且つ有利であり得るように、他の実施態様の１つ又は複数の他の特徴と組み合わせることができる。また、詳細な説明において且つ／又は特許請求の範囲において「含む（ｉｎｃｌｕｄｉｎｇ）」、「含む（ｉｎｃｌｕｄｅｓ）」、「有する（ｈａｖｉｎｇ）」、「有する（ｈａｓ）」、「備える（ｗｉｔｈ）」という用語又はそれらの変形を使用する範囲で、こうした用語は、「備える（ｃｏｍｐｒｉｓｉｎｇ）」という用語と同様に包括的であるように意図されている。
【００２７】
この記載した説明は、例を使用して、最良の形態を含む本発明を開示し、また、当業者が、任意の装置又はシステムを製造して使用することと任意の組み込まれた方法を実施することとを含む、本発明を実施するのを可能にする。本発明の特許を受けることができる範囲は、特許請求の範囲によって定義され、当業者に想到される他の例を含むことができる。こうした他の例は、それらが特許請求の範囲の文字通りの言い回しとは異ならない構造的要素を有する場合、又は、それらが特許請求の範囲の文字通りの言い回しとはごくわずかな相違がある均等な構造的要素を含む場合、請求項の範囲内にあるように意図される。
【００２８】
本発明を実行するための最良の形態について、本出願人にその時点で既知である最良の形態を例示する目的で記載した。例は、請求項の範囲及び利点によって判断されるように、単に例示的であり、本発明を限定するようには意図されていない。本発明について、好ましい実施形態及び代替実施形態に関して記載した。明らかに、本明細書を読み理解することで、他の人に変更形態及び代替形態が想到されよう。こうした変更形態及び代替形態のすべてが添付の請求項又はそれらの均等物の範囲内にある限り、それらを包含するように意図されている。
【符号の説明】
【００２９】
１００  溶接システム
１０２  溶接機ユニット
１０４  溶接ヘッドユニット
１０６  溶接トーチ
１０８  レセプタクル
１１０  第１ワイヤ供給装置
１１２  第１スプール
１１４  ワイヤライナ
１１６  コネクタ
１１８  取付具
１２０  第２ワイヤ供給装置
１２２  第２スプール
１２４  ワイヤライナ
１２６  コネクタ
１２８  取付具
１３０  ガイドトラック
１３２  表面
１３４  表面
８２８  取付具
８３４  表面
８４８  取付具
９００  コネクタ
１０００  コネクタ
１１００  コネクタ
Ｗ  工作物
【図１】
2020097053.tif 000003
【図２】
2020097053.tif 000004
【図３】
2020097053.tif 000005
【図４】
2020097053.tif 000006
【図５】
2020097053.tif 000007
【図６】
2020097053.tif 000008
【図７】
2020097053.tif 000009
【図８】
2020097053.tif 000010
【図９】
2020097053.tif 000011
【図１０】
2020097053.tif 000012
【図１１】
2020097053.tif 000013
【外国語明細書】
2020097053000001.pdf